(57)【要約】      （修正有）【課題】人体の異常な経絡点を診断分析し、疾患のＴＣＭシンドロームタイプに応じて、正しい調剤をすることができる健康分析装置におけるＴＣＭ診断システムを提供する。【解決手段】ＴＣＭ診断システムは、検出装置と診断装置とから主に構成され、検出装置は、センサーと、演算モジュールと、漢方薬製剤データベースと、記憶モジュールと、検出スクリーンとを備える。センサーは、人体経絡点を検出して検出信号を生成し、演算モジュールは検出信号を分析し、検出信号は伝統的な漢方製剤データベースの内部データと比較されて検出データを生成し、被験者の漢方製剤データを選択する。記憶モジュールは検出データを保存し、検出スクリーンは検出データを表示する。診断装置は、インターネットを介して検出装置に接続され、計算モジュールにより、検出データのテキスト認識信号を分析統計し、ＴＣＭシンドロームデータベースの内部データと比較し、被験者の最良診断データを生成、選択する。【選択図】図１
0003221421.tif 000002
【実用新案登録請求の範囲】
【請求項１】
一種の健康分析装置用のＴＣＭ診断システムであり、検出装置と診断装置とから構成され、
前記検出装置は、センサーと、演算モジュールと、漢方薬製剤データベースと、記憶モジュールと、検出スクリーンとを備え、前記センサーは、被験者の人体経絡点を検出して検出信号を生成することができ、前記演算モジュールは検出信号を分析することができ、前記検出信号は前記漢方製剤データベースの内部データと比較されて検出データを生成し、前記被験者の漢方製剤データを選択し、前記記憶モジュールは前記検出データを保存することができ、前記検出スクリーンは前記検出データを表示するために使用され、
前記診断装置は、インターネットを介して前記検出装置に接続され、前記検出装置の検出データを受信し、キャプチャモジュールと、テキスト認識モジュールと、計算モジュールと、ＴＣＭシンドロームデータベースと、診断スクリーンとを含み、前記キャプチャモジュールは前記検出されたデータ画像をキャプチャするように構成され、前記テキスト認識モジュールは、前記検出データのテキストを識別し、テキスト認識信号を生成するように構成され、前記計算モジュールは、前記テキスト認識信号を分析、統計して前記テキスト識別信号を前記ＴＣＭシンドロームデータベースの内部データと比較し、診断データを生成して、前記被験者のＴＣＭシンドロームタイプの最良診断データを選択することができ、前記診断スクリーンは、前記診断データを表示するためであることを特徴とする、健康分析装置用のＴＣＭ診断システム。
【請求項２】
前記検出装置は、インターネットを介して前記診断装置に無線で接続することができることを特徴とする、請求項１に記載の健康分析装置用のＴＣＭ診断システム。
【請求項３】
前記検出装置は、非線形診断用人体周波数分析装置であることを特徴とする、請求項１に記載の健康分析装置用のＴＣＭ診断システム。
【請求項４】
前記検出信号は、被験者の全体の臓器構造図であることを特徴とする、請求項１に記載の健康分析装置用のＴＣＭ診断システム。
【請求項５】
前記ＴＣＭシンドロームデータベースはクラウドサーバに設置可能であることを特徴とする、請求項１に記載の健康分析装置用のＴＣＭ診断システム。
【考案の詳細な説明】
【技術分野】
【０００１】
本考案は一種の健康分析装置の伝統的な漢方医学（ＴＣＭ、Traditional  Chinese  Medicine）診断システムであり、特に人体の異常な経絡点を診断し分析することができ、そしてＴＣＭシンドロームデータベースと比較して統計学を用いて、医師の参照のために被験者のＴＣＭシンドローム診断の最良のデータを選択する。シンドロームのタイプの種類に応じて、病気治療のための病症を提示し、適切な処方により、正しい調剤をすることができ、誤診が起こらない。
【背景技術】
【０００２】
伝統的な漢方医学によると、人体は"気"や"血"のような微妙な物質を伝送する繊細な流通システムを持っていると考えている。この伝送ネットワークは、人体経絡システムと呼ばれ、臓器と四肢を接続し、気と血液を伝送する通路であり、大きい方が経脈であり、経絡の枝が絡脈である。さらに、漢方医学の「証」というシンドロームは、病気の現在性質の一般化、または特定の症状、脈拍、および舌の症状の組み合わせである。「証」の独特性は、その独特の言語、病因（風、寒さ、暑気、湿気、乾燥、火）、病理（陰と陽、気と血液の機能不全）および８つのクラス（陰と陽、虚と実、表と裏、寒さと熱）などの単語の組み合わせにある。臓器、経絡、病因、および病理を用いた包括的な分析は、伝統的な漢方医学の診断と治療の基礎となっている。
西洋医学はまた予防は治療よりも優れていると主張しているので、定期的な健康診断を受けることをお勧めする健康診断は初期の症状や危険因子を発見し、できるだけ早く治療を受けることである。一般的なヘルスチェックは、臓器が変化したかどうかを確認するためにのみ使用でき、臓器が変化する前にそれを防ぐことはできない。したがって、病気が発生した後で医師の助けと治療が求められることが多くあるが、元の健康状態を回復することができず、後遺症さえ残され、生活障害をもたらすことがよくある。したがって、予防医学は徐々に世間の注目を集めている。また、予防医学は、一般大衆、特定の集団、または一般の人々の健康を維持し、促進し、そして保護することに重点を置いている。その中でも、健康増進には主に生活形態、生活環境および医療制度が含まれている。疾病予防とは、身体が疾病を発症する前に健康リスク要因を評価し改善することで、疾病の発症をさらに制限することである。しかし、一般人が漢方医者を訪ねると、一般的な漢方医者は通常、脈をとって、問診をするが、誤診が発生することは避けられない。
この点を考慮して、本考案者は綿密な調査、研究を行い、本考案を遂に完成した。
【考案の概要】
【考案が解決しようとする課題】
【０００３】
本考案の主な目的は、人体の異常な経絡点を診断し分析することを提供することである。そして、ＴＣＭシンドロームデータベースと比較して統計学を用いて、医師の参照のために被験者疾患のＴＣＭシンドローム診断の最良データを選択するシンドロームのタイプの種類に応じて、病気治療のための病症を提示し、適切な処方により、正しい調剤をすることができ、誤診が起こらない。
【課題を解決するための手段】
【０００４】
上記目的を達成するために、本考案の健康分析装置のＴＣＭ診断システムは、検出装置と診断装置とから構成される。検出装置は、センサーと、演算モジュールと、漢方薬製剤データベースと、記憶モジュールと、検出スクリーンとを備える。センサーは、被験者の人体の経絡点を検出し、検出信号を生成することができる。演算モジュールは、検出信号を分析し、検出信号を漢方薬調製データベースの内部データと比較し、被験者の漢方薬調製データを選択するための検出データを生成することができる。記憶モジュールは検出データを記憶することができ、検出スクリーンは検出データを表示するために使用される。診断装置は、インターネットを介して検出装置と接続され、検出装置の検出データを受信する。診断装置はキャプチャモジュール、テキスト認識モジュール、計算モジュール、ＴＣＭシンドロームデータベースおよび診断スクリーンを含む。キャプチャモジュールは検出されたデータ画像をキャプチャするように構成され、テキスト認識モジュールは検出されたデータのテキストを識別し、テキスト認識信号を生成するように構成される。計算モジュールはテキスト認識信号を分析し統計することができる。テキスト識別信号をＴＣＭシンドロームデータベースの内部データと比較し診断データを生成し、被験者疾患のＴＣＭシンドロームタイプの最良診断データを選択する。診断スクリーンは、医師を参照するための診断データを表示するために使用され、治療することができるシンドロームの症状に従って、適切な処方により、正しい調剤をすることができ、誤診が起こらない。
【０００５】
上記検出装置は、インターネットを介して診断装置に無線で接続することができる。
【０００６】
上記検出装置は、非線形診断用人体周波数分析装置である。
【０００７】
上記検出信号は、被験者の全体の臓器構造図である。
【０００８】
上記ＴＣＭシンドロームデータベースはクラウドサーバに設置可能である。
【０００９】
さらに、以下、具体的な実施形態を例示し、本考案の技術的特徴をより良く理解できるように詳細な説明を行う。
【考案の効果】
【００１０】
本考案には次のような利点と効果がある。
１．被験者を分析および診断するときに、人体に害を及ぼすことはない。
２．正しい薬を処方するのに伝統的な脈をとる必要はなく、誤診は起こらない。
３．被験者の身体の経絡点検査は、単一の作業手順のみで完了することができ、検査の状態を見逃すことはない。
４．検出および診断操作プロセスは速く、便利であるため、病状の判断の正確さを高めることができる。
【図面の簡単な説明】
【００１１】
【図１】本考案実施形態の回路構成を示すブロック図である。
【図２】本考案実施形態の使用フローチャートである。
【図３】本考案実施形態のＴＣＭシンドロームタイプ診断データ参照マップである。
【考案を実施するための形態】
【００１２】
上記目的、技術的手段および上記目的の達成可能な効果を達成するために、以下の好適な実施形態について図面を参照しながら詳細に説明し、十分に理解することができる。
【００１３】
図１を参照すると、健康分析装置ＴＣＭ診断システムは、検出装置１と診断装置２とから構成される。
【００１４】
検出装置１は、非線形の診断用人体周波数解析装置であり、センサー１１、演算モジュール１２、漢方薬製剤データベース１３、記憶モジュール１４、および検出スクリーン１５を備える。センサー１１は、被験者の人体の経絡点を検出し、検出信号を生成することができ、それは被験者の全体の臓器構造図とすることができる。演算モジュール１２は、検出信号を解析し、その検出信号と漢方薬製剤データベース１３の内部データとを比較して検出データを生成し、被験者の漢方薬データを選択することができる。伝統的な漢方製剤は現代の製造方法を採用し、煎じ薬によって抽出され濃縮され、そして処方薬の生薬粉末、ラクトース、結晶繊維、カルボキシメチルセルロースおよびデンプンの一定割合で賦形剤として使用され、粉末、細粒、インゴット、錠剤、カプセルなど、さまざまな方法で漢方薬を製造している。伝統的な漢方製剤の主成分は、漢方薬であり、温性薬材、熱性薬材、寒性薬材、涼性薬材および平性薬材が含まれる。温性薬材は、トチュウ、ナツメ、当帰、シサンドラ、黄耆などが含まれている。熱性薬材には、乾燥生姜、シナモン、トリカブト、モリンダ・オフィシナリスなどがある。寒性薬材にはスイカズラ、ルバーブ、コルク、ベルベリンなどが含まれている。涼性薬材には、菊、ハトムギ、ミントなどが含まれている。平性薬材は、タンピング、カシア、蓮の実、山芋、霊芝、西洋ニンジン、コドノプシスなどが含まれる。記憶モジュール１４は検出データを記憶することができ、検出スクリーン１５は検出データを表示するために使用される。
【００１５】
診断装置２は、インターネットを介して検出装置１と無線接続し、検出装置１の検出データを受信する。キャプチャモジュール２１、テキスト認識モジュール２２、計算モジュール２３、ＴＣＭシンドロームデータベース２４、および診断画面２５が含まれる。キャプチャモジュール２１は、検出されたデータ画像をキャプチャするように構成される。テキスト認識モジュール２２は、検出データのテキストを識別してテキスト認識信号を生成するように構成されている。計算モジュール２３は、テキスト認識信号を分析および統計し、テキスト識別信号をＴＣＭシンドロームデータベース２４の内部データと比較し、そして診断データを生成して被験者の最も良いＴＣＭシンドロームタイプの診断データを選択することができる。ＴＣＭシンドロームデータベース２４はクラウドサーバに設置することができ、診断スクリーン２５は診断データを表示するために使用される。
【００１６】
図１から図３までを参照して、使用時には、センサー１１が被験者に接続されて検出信号が生成される。センサー１１は、検出信号を演算モジュール１２に送信し、演算モジュール１２は、検出信号を算出して検出データを生成する。演算モジュール１２は、検出データと漢方薬製剤データベース１３の内部データとを比較して漢方薬製剤の処方を選択し、記憶モジュール１４に記憶する。検出スクリーン１５には、漢方製剤を選択するための処方箋が表示されている。キャプチャモジュール２１は、検出されたデータ画像をキャプチャし、テキスト認識のために検出されたデータ画像をテキスト認識モジュール２２に送信してテキスト認識信号を生成する。計算モジュール２３は、テキスト識別信号とＴＣＭシンドロームデータベース２４の内部データとを分解、再編成、そして統計して、ＴＣＭシンドローム診断に最良のデータを選択する。選択されたＴＣＭシンドロームタイプの診断データは、医師の参照用に診断スクリーン２５に表示される。シンドロームのタイプ（例：主シンドロームタイプ、二次シンドロームタイプ）に従って、治療できる症状を提示し、適切な処方により、正しい処方を調剤することができ、誤診は起こらない。
【００１７】
したがって、本考案には次のような利点と効果がある。
１．被験者を分析および診断するときに、人体に害を及ぼすことはない。
２．正しい薬を処方するのに伝統的な脈をとる必要はなく、誤診は起こらない。
３．被験者の身体の経絡点検査は、単一の作業手順のみで完了することができ、検査の状態を見逃すことはない。
４．検出および診断操作プロセスは速く、便利であるため、病状の判断の正確さを高めることができる。
【００１８】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００１９】
１    検出装置
１１  センサー
１２  演算モジュール
１３  漢方薬製剤データベース
１４  記憶モジュール
１５  検出スクリーン
２    診断装置
２１  キャプチャモジュール
２２  テキスト認識モジュール
２３  計算モジュール
２４  ＴＣＭシンドロームデータベース
２５  診断スクリーン
【図１】
0003221421.tif 000003
【図２】
0003221421.tif 000004
【図３】
0003221421.tif 000005
【手続補正書】
【提出日】平成31年3月19日(2019.3.19)
【手続補正１】
【補正対象書類名】明細書
【補正対象項目名】全文
【補正方法】変更
【補正の内容】
【考案の詳細な説明】
【技術分野】
【０００１】
本考案は一種の健康分析装置の伝統的な漢方医学（ＴＣＭ、Traditional  Chinese  Medicine）診断システムであり、特に人体の異常な経絡点を診断し分析することができ、そしてＴＣＭシンドロームデータベースと比較して統計学を用いて、医師の参照のために被験者のＴＣＭシンドローム診断の最良のデータを選択する。シンドロームのタイプの種類に応じて、病気治療のための病症を提示し、適切な処方により、正しい調剤をすることができ、誤診が起こらない。
【背景技術】
【０００２】
伝統的な漢方医学によると、人体は"気"や"血"のような微妙な物質を伝送する繊細な流通システムを持っていると考えている。この伝送ネットワークは、人体経絡システムと呼ばれ、臓器と四肢を接続し、気と血液を伝送する通路であり、大きい方が経脈であり、経絡の枝が絡脈である。さらに、漢方医学の「証」というシンドロームは、病気の現在性質の一般化、または特定の症状、脈拍、および舌の症状の組み合わせである。「証」の独特性は、その独特の言語、病因（風、寒さ、暑気、湿気、乾燥、火）、病理（陰と陽、気と血液の機能不全）および８つのクラス（陰と陽、虚と実、表と裏、寒さと熱）などの単語の組み合わせにある。臓器、経絡、病因、および病理を用いた包括的な分析は、伝統的な漢方医学の診断と治療の基礎となっている。
西洋医学はまた予防は治療よりも優れていると主張しているので、定期的な健康診断を受けることをお勧めする健康診断は初期の症状や危険因子を発見し、できるだけ早く治療を受けることである。一般的なヘルスチェックは、臓器が変化したかどうかを確認するためにのみ使用でき、臓器が変化する前にそれを防ぐことはできない。したがって、病気が発生した後で医師の助けと治療が求められることが多くありますが、元の健康状態を回復することができず、後遺症さえ残され、生活障害をもたらすことがよくある。したがって、予防医学は徐々に世間の注目を集めている。また、予防医学は、一般大衆、特定の集団、または一般の人々の健康を維持し、促進し、そして保護することに重点を置いている。その中でも、健康増進には主に生活形態、生活環境および医療制度が含まれている。疾病予防とは、身体が疾病を発症する前に健康リスク要因を評価し改善することで、疾病の発症をさらに制限することである。しかし、一般人が漢方医者を訪ねると、一般的な漢方医者は通常、脈をとって、問診をするが、誤診が発生することは避けられない。
この点を考慮して、本考案者は綿密な調査、研究を行い、本考案を遂に完成した。
【考案の概要】
【考案が解決しようとする課題】
【０００３】
それゆえ、本考案の主な目的は、人体の異常な経絡点を診断し分析することを提供することである。そして、ＴＣＭシンドロームデータベースと比較して統計学を用いて、医師の参照のために被験者疾患のＴＣＭシンドローム診断の最良データを選択するシンドロームのタイプの種類に応じて、病気治療のための病症を提示し、適切な処方により、正しい調剤をすることができ、誤診が起こらない。
【課題を解決するための手段】
【０００４】
上記目的を達成するために、本考案の健康分析装置のＴＣＭ診断システムは、検出装置と診断装置とから構成される。検出装置は、センサーと、演算モジュールと、漢方薬製剤データベースと、記憶モジュールと、検出スクリーンとを備える。センサーは、被験者の人体の経絡点を検出し、検出信号を生成することができる。演算モジュールは、検出信号を分析し、検出信号を漢方薬製剤データベースの内部データと比較し、被験者の漢方薬製剤データを選択するための検出データを生成することができる。記憶モジュールは検出データを記憶することができ、検出スクリーンは検出データを表示するために使用される。診断装置は、インターネットを介して検出装置と接続され、検出装置の検出データを受信する。診断装置はキャプチャモジュール、テキスト認識モジュール、計算モジュール、ＴＣＭシンドロームデータベースおよび診断スクリーンを含む。キャプチャモジュールは検出されたデータ画像をキャプチャするように構成され、テキスト認識モジュールは検出されたデータのテキストを識別し、テキスト認識信号を生成するように構成される。計算モジュールはテキスト認識信号を分析し統計することができる。テキスト認識信号をＴＣＭシンドロームデータベースの内部データと比較し診断データを生成し、被験者疾患のＴＣＭシンドロームタイプの最良診断データを選択する。診断スクリーンは、医師を参照するための診断データを表示するために使用され、治療することができるシンドロームの症状に従って、適切な処方により、正しい調剤をすることができ、誤診が起こらない。
【０００５】
上記検出装置は、インターネットを介して診断装置に無線で接続することができる。
【０００６】
上記検出装置は、非線形診断用人体周波数分析装置である。
【０００７】
上記検出信号は、被験者の全体の臓器構造図である。
【０００８】
上記ＴＣＭシンドロームデータベースはクラウドサーバに設置可能である。
【０００９】
さらに、以下、具体的な実施形態を例示し、本考案の技術的特徴をより良く理解できるように詳細な説明を行う。
【考案の効果】
【００１０】
本考案には次のような利点と効果がある。
１．被験者を分析および診断するときに、人体に害を及ぼすことはない。
２．正しい薬を処方するのに伝統的な脈をとる必要はなく、誤診は起こらない。
３．被験者の身体の経絡点検査は、単一の作業手順のみで完了することができ、検査の状態を見逃すことはない。
４．検出および診断操作プロセスは速く、便利であるため、病状の判断の正確さを高めることができる。
【図面の簡単な説明】
【００１１】
【図１】本考案実施形態の回路構成を示すブロック図である。
【図２】本考案実施形態の使用フローチャートである。
【図３】本考案実施形態のＴＣＭシンドロームタイプ診断データ参照マップである。
【考案を実施するための形態】
【００１２】
上記目的、技術的手段および上記目的の達成可能な効果を達成するために、以下の好適な実施形態について図面を参照しながら詳細に説明し、十分に理解することができる。
【００１３】
図１を参照すると、健康分析装置ＴＣＭ診断システムは、検出装置１と診断装置２とから構成される。
【００１４】
検出装置１は、非線形の診断用人体周波数解析装置であり、センサー１１、演算モジュール１２、漢方薬製剤データベース１３、記憶モジュール１４、および検出スクリーン１５を備える。センサー１１は、被験者の人体の経絡点を検出し、検出信号を生成することができ、それは被験者の全体の臓器構造図とすることができる。演算モジュール１２は、検出信号を解析し、その検出信号と漢方薬製剤データベース１３の内部データとを比較して検出データを生成し、被験者の漢方薬データを選択することができる。伝統的な漢方薬製剤は現代の製造方法を採用し、煎じ薬によって抽出され濃縮され、そして処方薬の生薬粉末、ラクトース、結晶繊維、カルボキシメチルセルロースおよびデンプンの一定割合で賦形剤として使用され、粉末、細粒、インゴット、錠剤、カプセルなど、さまざまな方法で漢方薬を製造している。伝統的な漢方薬製剤の主成分は、漢方薬であり、温性薬材、熱性薬材、寒性薬材、涼性薬材および平性薬材が含まれる。温性薬材は、トチュウ、ナツメ、当帰、シサンドラ、黄耆などが含まれている。熱性薬材には、乾燥生姜、シナモン、トリカブト、モリンダ・オフィシナリスなどがある。寒性薬材にはスイカズラ、ルバーブ、コルク、ベルベリンなどが含まれている。涼性薬材には、菊、ハトムギ、ミントなどが含まれている。平性薬材は、タンピング、カシア、蓮の実、山芋、霊芝、西洋ニンジン、コドノプシスなどが含まれる。記憶モジュール１４は検出データを記憶することができ、検出スクリーン１５は検出データを表示するために使用される。
【００１５】
診断装置２は、インターネットを介して検出装置１と無線接続し、検出装置１の検出データを受信する。キャプチャモジュール２１、テキスト認識モジュール２２、計算モジュール２３、ＴＣＭシンドロームデータベース２４、および診断画面２５が含まれる。キャプチャモジュール２１は、検出されたデータ画像をキャプチャするように構成される。テキスト認識モジュール２２は、検出データのテキストを識別してテキスト認識信号を生成するように構成されている。計算モジュール２３は、テキスト認識信号を分析および統計し、テキスト認識信号をＴＣＭシンドロームデータベース２４の内部データと比較し、そして診断データを生成して被験者の最も良いＴＣＭシンドロームタイプの診断データを選択することができる。ＴＣＭシンドロームデータベース２４はクラウドサーバに設置することができ、診断スクリーン２５は診断データを表示するために使用される。
【００１６】
図１から図３までを参照して、使用時には、センサー１１が被験者に接続されて検出信号が生成される。センサー１１は、検出信号を演算モジュール１２に送信し、演算モジュール１２は、検出信号を算出して検出データを生成する。演算モジュール１２は、検出データと漢方薬製剤データベース１３の内部データとを比較して漢方薬製剤の処方を選択し、記憶モジュール１４に記憶する。検出スクリーン１５には、漢方薬製剤を選択するための処方箋が表示されている。キャプチャモジュール２１は、検出されたデータ画像をキャプチャし、テキスト認識のために検出されたデータ画像をテキスト認識モジュール２２に送信してテキスト認識信号を生成する。計算モジュール２３は、テキスト認識信号とＴＣＭシンドロームデータベース２４の内部データとを分解、再編成、そして統計して、ＴＣＭシンドローム診断に最良のデータを選択する。選択されたＴＣＭシンドロームタイプの診断データは、医師の参照用に診断スクリーン２５に表示される。シンドロームのタイプ（例：主シンドロームタイプ、二次シンドロームタイプ）に従って、治療できる症状を提示し、適切な処方により、正しい処方を調剤することができ、誤診は起こらない。
【００１７】
したがって、本考案には次のような利点と効果がある。
１．被験者を分析および診断するときに、人体に害を及ぼすことはない。
２．正しい薬を処方するのに伝統的な脈をとる必要はなく、誤診は起こらない。
３．被験者の身体の経絡点検査は、単一の作業手順のみで完了することができ、検査の状態を見逃すことはない。
４．検出および診断操作プロセスは速く、便利であるため、病状の判断の正確さを高めることができる。
【００１８】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００１９】
１    検出装置
１１  センサー
１２  演算モジュール
１３  漢方薬製剤データベース
１４  記憶モジュール
１５  検出スクリーン
２    診断装置
２１  キャプチャモジュール
２２  テキスト認識モジュール
２３  計算モジュール
２４  ＴＣＭシンドロームデータベース
２５  診断スクリーン
【手続補正２】
【補正対象書類名】実用新案登録請求の範囲
【補正対象項目名】全文
【補正方法】変更
【補正の内容】
【実用新案登録請求の範囲】
【請求項１】
一種の健康分析装置用のＴＣＭ診断システムであり、検出装置と診断装置とから構成され、
前記検出装置は、センサーと、演算モジュールと、漢方薬製剤データベースと、記憶モジュールと、検出スクリーンとを備え、前記センサーは、被験者の人体経絡点を検出して検出信号を生成することができ、前記演算モジュールは検出信号を分析することができ、前記検出信号は前記漢方薬製剤データベースの内部データと比較されて検出データを生成し、前記被験者の漢方薬製剤データを選択し、前記記憶モジュールは前記検出データを保存することができ、前記検出スクリーンは前記検出データを表示するために使用され、
前記診断装置は、インターネットを介して前記検出装置に接続され、前記検出装置の検出データを受信し、キャプチャモジュールと、テキスト認識モジュールと、計算モジュールと、ＴＣＭシンドロームデータベースと、診断スクリーンとを含み、前記キャプチャモジュールは前記検出されたデータ画像をキャプチャするように構成され、前記テキスト認識モジュールは、前記検出データのテキストを識別し、テキスト認識信号を生成するように構成され、前記計算モジュールは、前記テキスト認識信号を分析、統計して前記テキスト認識信号を前記ＴＣＭシンドロームデータベースの内部データと比較し、診断データを生成して、前記被験者のＴＣＭシンドロームタイプの最良診断データを選択することができ、前記診断スクリーンは、前記診断データを表示するための装置であることを特徴とする、健康分析装置用のＴＣＭ診断システム。
【請求項２】
前記検出装置は、インターネットを介して前記診断装置に無線で接続することができることを特徴とする、請求項１に記載の健康分析装置用のＴＣＭ診断システム。
【請求項３】
前記検出装置は、非線形診断用人体周波数分析装置であることを特徴とする、請求項１に記載の健康分析装置用のＴＣＭ診断システム。
【請求項４】
前記検出信号は、被験者の全体の臓器構造図であることを特徴とする、請求項１に記載の健康分析装置用のＴＣＭ診断システム。
【請求項５】
前記ＴＣＭシンドロームデータベースはクラウドサーバに設置可能であることを特徴とする、請求項１に記載の健康分析装置用のＴＣＭ診断システム。